(57)【特許請求の範囲】
【請求項１】
天板と該天板の外周縁から垂下したスカート壁からなり、該スカート壁の内周面に雌ネジを螺刻すると共に、前記天板にシール筒及び内筒を順次前記スカート壁と同心円状に設けた上蓋と、
該上蓋の該雌ネジに螺合する雄ネジを螺刻した注出筒を有し、該注出筒内に設けた閉鎖中板に環状の脆弱ラインにて囲った開口予定部を形成し、且つ該閉鎖中板の該開口予定部より内側の上面に切除筒を立設した、容器の開口部に固着する注出口栓と、で構成される複合容器蓋であって、
前記上蓋の内筒の内周面及び前記注出口栓の切除筒の上部外周面に上下方向に係止可能な係止手段を設けると共に、前記上蓋を開栓方向に回した際のみ係合して、前記脆弱ラインを破断する係合手段を内筒の内周面と切除筒の外周面とに設け、該係合手段は、前記内筒の内周面に周方向に間隔をおいて配設された複数個のラチェット片と切除筒の外周面に周方向に間隔をおいて配設された複数個のラチェット爪とから構成されており、該係合手段の該内筒側ラチェット片と該切除筒側ラチェット爪との係合部位に隣接した前記閉鎖中板に、前記脆弱ラインと、前記脆弱ラインから該切除筒に向かって延びる放射状スコアとを設けたことを特徴とする複合容器蓋。
【請求項２】
天板と該天板の外周縁から垂下したスカート壁からなり、前記天板に、内周面に雌ネジを螺刻した中間筒、シール筒及び内筒を順次前記スカート壁と同心円状に設けた上蓋と、
頂板部及び外周縁から垂下した外筒からなり、頂板部に前記上蓋の前記雌ネジに螺合する雄ネジを螺刻した螺合筒及びその内側に注出筒を有し、該注出筒内の頂板部に環状の脆弱ラインにて囲われた開口予定部を形成し、且つ該開口予定部より内側の上面に切除筒を立設した、容器の口部に固着する注出口栓と、で構成される複合容器蓋であって、
前記上蓋の内筒の内周面及び前記注出口栓の切除筒の上部外周面に上下方向に係止可能な係止手段を設けると共に、前記上蓋を開栓方向に回した際のみ係合して、前記脆弱ラインを破断する係合手段を内筒の内周面と切除筒の外周面とに設け、該係合手段は、前記内筒の内周面に周方向に間隔をおいて配設された複数個のラチェット片と切除筒の外周面に周方向に間隔をおいて配設された複数個のラチェット爪とから構成されており、該係合手段の該内筒側ラチェット片と該切除筒側ラチェット爪との係合部位に隣接した前記頂板部に、前記脆弱ラインと、前記脆弱ラインから該切除筒に向かって延びる放射状スコアとを設けたことを特徴とする複合容器蓋。
【請求項３】
前記放射状スコアは、周方向に０．１乃至０．５ｍｍ幅をもち、前記切除筒まで延びる、請求項１または２記載の複合容器蓋。
【発明の詳細な説明】
【技術分野】
【０００１】
本発明は、複合容器蓋に関するものであって、より詳しくは、液密性及び注出性に優れるとともに、特に小型の容器にも対応でき、力の比較的弱い婦女子でも容易に開栓することが出来る複合容器蓋に関するものである。
【０００２】
従来、複合容器蓋として流通しているのは、上蓋と、この上蓋に螺合されると共に容器の開口に装着されて閉じられ且つ脆弱ラインで囲われた開口予定部が有る注出口栓とで構成され、この開口予定部の端部に設置された支柱にあるプルリングに、手指を入れ引き上げることで開栓するようになっている。しかしながら、容器が小さい場合、それに従って、注出口栓も小さくなりプルリングに手指を入れづらくなり、開栓が困難となるという問題がある。
【０００３】
このような状況を踏まえて、図９、１０に示すような複合容器蓋が開発された。この複合容器蓋は、頂板部５０及びこれの外周縁から垂下するスカート部５１からなり、このスカート部５１の内面に容器の口部の雄ネジと螺合する雌ネジ５２が形成されていると共に、頂板部５０の内面にはインナーリング５３が形成されてなる上蓋５４と、天面５５とこれの外周縁から垂下する周状壁５６からなり且つ天面５５中央部に注出用ノズル５７が形成され、この注出用ノズル５７よりも内側に破断可能な弱化線５８により区画された開口予定部５９が形成されてなる容器の口部に嵌合固定される中栓（注出口栓）６０と、からなり、上蓋５４の頂板部５０の内面及び中栓６０の開口予定部５９にはそれぞれ環状壁６１及び６２が形成されており、それぞれの環状壁６１及び６２には、上蓋５４及び中栓６０が上下方向に係止可能な係止突起６３及び６４、並びに、開栓方向に上蓋５４を旋回したときに、上蓋５４及び中栓６０が周方向に係合可能な複数個のラチェット６５及び６６が形成されてなるものである。
【０００４】
この複合容器蓋によれば、プルリングに手指を入れる必要がなく、上蓋５４を開栓方向に旋回させると、上蓋５４のラチェット６５と中栓６０のラチェット６６とが係合すると共に、上蓋５４の上昇に伴って上蓋５４の係止突起６３も上昇するから、これに係止している中栓６０の係止突起６４も上昇する。その結果、周方向のせん断力及び上下方向の引っ張り力が、開口予定部５９を区画している弱化線５８に作用して、それを破断し、中栓６０から開口予定部５９を除去するものである。さらに、除去された開口予定部５９は、上蓋５４の係止突起６３に係止しているから、上蓋５４と一体になっており、別途廃棄する必要がないという特徴がある（例えば、特許文献１参照）。
【先行技術文献】
【特許文献】
【０００５】
【特許文献１】特開２００８−３０８２１８号公報
【発明の概要】
【発明が解決しようとする課題】
【０００６】
特許文献１のものは、中栓６０の存在により液密性及び注出性に優れ、プルリングに手指を入れる必要もなく、上蓋５４を開栓方向に旋回させれば中栓６０も開栓でき、しかも開栓により除去された開口予定部５９を別途廃棄する必要がない点で、極めて優れたものである。しかしながら、開口予定部５９を区画している弱化線５８の径が大きくなると、その弱化線５８の破断トルクも大となり、かなりの力で上蓋５４を開栓方向に旋回させなければならず、力の比較的弱い婦女子では開栓ができない事態に陥る虞がある。
【０００７】
そこで、本発明の目的は、液密性及び注出性に優れているのは勿論のこと、特に小型の容器にも対応でき、力の比較的弱い婦女子でも容易に開栓することが出来る複合容器蓋を提供することにある。
【課題を解決するための手段】
【０００８】
本発明は、上記目的を達成するために提案されたものであって、下記の構成からなることを特徴とするものである。
すなわち、本発明によれば、天板と該天板の外周縁から垂下したスカート壁からなり、該スカート壁の内周面に雌ネジを螺刻すると共に、前記天板にシール筒及び内筒を順次前記スカート壁と同心円状に設けた上蓋と、
該上蓋の該雌ネジに螺合する雄ネジを螺刻した注出筒を有し、該注出筒内に設けた閉鎖中板に環状の脆弱ラインにて囲った開口予定部を形成し、且つ該閉鎖中板の該開口予定部より内側の上面に切除筒を立設した、容器の開口部に固着する注出口栓と、で構成される複合容器蓋であって、
前記上蓋の内筒の内周面及び前記注出口栓の切除筒の上部外周面に上下方向に係止可能な係止手段を設けると共に、前記上蓋を開栓方向に回した際のみ係合して、前記脆弱ラインを破断する係合手段を内筒の内周面と切除筒の外周面とに設け、該係合手段は、前記内筒の内周面に周方向に間隔をおいて配設された複数個のラチェット片と切除筒の外周面に周方向に間隔をおいて配設された複数個のラチェット爪とから構成されており、該係合手段の該内筒側ラチェット片と該切除筒側ラチェット爪との係合部位に隣接した前記閉鎖中板に、前記脆弱ラインと、前記脆弱ラインから該切除筒に向かって延びる放射状スコアとを設けたことを特徴とする複合容器蓋が提供される。
【０００９】
また、本発明によれば、天板と該天板の外周縁から垂下したスカート壁からなり、前記天板に、内周面に雌ネジを螺刻した中間筒、シール筒及び内筒を順次前記スカート壁と同心円状に設けた上蓋と、
頂板部及び外周縁から垂下した外筒からなり、頂板部に前記上蓋の前記雌ネジに螺合する雄ネジを螺刻した螺合筒及びその内側に注出筒を有し、該注出筒内の頂板部に環状の脆弱ラインにて囲われた開口予定部を形成し、且つ該開口予定部より内側の上面に切除筒を立設した、容器の口部に固着する注出口栓と、で構成される複合容器蓋であって、
前記上蓋の内筒の内周面及び前記注出口栓の切除筒の上部外周面に上下方向に係止可能な係止手段を設けると共に、前記上蓋を開栓方向に回した際のみ係合して、前記脆弱ラインを破断する係合手段を内筒の内周面と切除筒の外周面とに設け、該係合手段は、前記内筒の内周面に周方向に間隔をおいて配設された複数個のラチェット片と切除筒の外周面に周方向に間隔をおいて配設された複数個のラチェット爪とから構成されており、該係合手段の該内筒側ラチェット片と該切除筒側ラチェット爪との係合部位に隣接した前記頂板部に、前記脆弱ラインと、前記脆弱ラインから該切除筒に向かって延びる放射状スコアとを設けたことを特徴とする複合容器蓋が提供される。
【００１１】
また、本発明によれば、前記放射状スコアは、周方向に０．１乃至０．５ｍｍ幅をもち、前記切除筒まで延びる複合容器蓋が提供される。
【００１２】
上記請求項１に係る発明によれば、上蓋を開栓方向に旋回させると、上蓋の内筒の内周面と注出口栓の切除筒の外周面とに設けた、脆弱ラインを破断する係合手段が係合し、周方向のせん断力が、係合手段の切除筒側の係合部位に隣接した閉鎖中板に設けた放射状スコアに集中し、放射状スコアの破断が起点となって脆弱ラインが破断することにより、脆弱ラインの破断トルクを下げることが可能となる。さらに、脆弱ラインの破断により注出口栓から切り離された切除筒は、開栓方向の旋回による上蓋の上昇に伴って、上蓋の内筒の内周面及び注出口栓の切除筒の上部外周面に設けた上下方向に係止する係止手段の係止により、内筒に係止した状態で上蓋と共に注出口栓から取り外すことができる。
【００１３】
上記請求項２に係る発明によれば、上蓋を開栓方向に旋回させると、上蓋の内筒の内周面と注出口栓の切除筒の外周面とに設けた、脆弱ラインを破断する係合手段が係合し、周方向のせん断力が、係合手段の切除筒側の係合部位に隣接した閉鎖中板に設けた放射状スコアに集中し、放射状スコアの破断が起点となって脆弱ラインが破断することにより、脆弱ラインの破断トルクを下げることが可能となる。さらに、脆弱ラインの破断により注出口栓から切り離された切除筒は、開栓方向の旋回による上蓋の上昇に伴って、上蓋の内筒の内周面及び注出口栓の切除筒の上部外周面に設けた上下方向に係止する係止手段の係止により、内筒に係止した状態で上蓋と共に注出口栓から取り外すことができる。
【００１４】
さらに、上記請求項１及び請求項２に係る発明においては、上蓋を閉栓方向に旋回させると、上蓋の内筒に周方向に間隔をおいて配設された複数個のラチェット片と、注出口栓の切除筒に周方向に間隔をおいて配設された複数個のラチェット爪とが係合することなく、注出口栓に上蓋を螺着出来、一方、上蓋を開栓方向に旋回させると、上蓋の複数個のラチェット片と、注出口栓の複数個のラチェット爪とが係合して、脆弱ラインを破断し注出口栓から切除筒を上蓋の内筒に係止したまま除去し、開栓することができる。
【００１５】
上記請求項３にかかる発明によれば、０．１ないし０．５ｍｍ幅をもったスコアにより、周方向のせん断力が、スコアを破断しつつ、上蓋の内筒から注出口栓の切除筒を介して脆弱ラインに伝達され、脆弱ラインの破断を促進させることができる。
【発明の効果】
【００１６】
請求項１に係る本発明の複合容器蓋は、注出口栓に上蓋を螺着する際に、脆弱ラインを破断することなく容易に閉栓することができ、係合手段の係合を確実に行うことができ、注出口栓の開栓も容易にできるため、密性及び注出性に優れているのは勿論のこと、力の比較的弱い婦女子でも容易に開栓することが出来る効果がある。
【００１７】
また、請求項２に係る本発明の複合容器蓋においても、上記と同様の効果を得ることができる。
【００１９】
さらに、請求項３に係る本発明の複合容器蓋は、上記の効果に加えて、なお一層注出口栓の開栓が容易に出来る効果がある。
【図面の簡単な説明】
【００２０】
【図１】実施例１に示した本発明の実施の形態を示す複合容器蓋の半裁断面図である。
【図２】同じく本発明の実施形態を示す複合容器蓋の底面図である。
【図３】同じく本発明の実施形態を示す複合容器蓋の断面図である。
【図４】同じく本発明の実施形態を示す複合容器蓋の使用状態の断面図である。
【図５】図４のIV−IV線に沿う断面図である。
【図６】上蓋の旋回角度とトルクとの特性図である。
【図７】実施例２に示した実施形態を示す複合容器蓋の上蓋の断面図である。
【図８】同複合容器蓋の注出口栓の断面図である。
【図９】従来例の複合容器の上蓋を示す断面図である。
【図１０】従来例の複合容器の中栓を示す断面図である。
【発明を実施するための形態】
【００２１】
以下に、図面を参照して本発明を実施するための形態を説明する。
【実施例１】
【００２２】
図面において、複合容器蓋１は、天板２とこの天板２の外周縁から垂下したスカート壁３からなり、このスカート壁３の内周面に雌ネジ３ａを螺刻すると共に、天板２にシール筒４及び内筒５を順次スカート壁３と同心円状に設けた上蓋６と、この上蓋６の雌ネジ３ａに螺合する雄ネジ７ａを螺刻した注出筒７を有し、この注出筒７内に設けた閉鎖中板８に環状の脆弱ラインである周方向スコア９にて囲った開口予定部１０を形成し、且つ閉鎖中板９の開口予定部１０より内側の上面に切除筒１１を立設した、容器１２の開口部１２ａに固着する注出口栓１３と、で構成され、上蓋６の内筒５の内周面及び注出口栓１３の切除筒１１の上部外周面に上下方向に係止可能な係止手段１４を設けると共に、上蓋６を開栓方向に回した際のみ係合して、周方向スコア９を破断する係合手段１５を内筒５の内周面と切除筒１１の外周面とに設け、この係合手段１５の切除筒１１側の係合部位に隣接した閉鎖中板８に、周方向スコア９から切除筒１１に向かって延びる放射状スコア１６を、設けたものである。
【００２３】
この複合容器蓋１は、主に紙製などの容器１２用として、利用されるものであり、注出口栓１３に鍔状取付部２０が設けられ、この鍔状取付部２０が紙製などの容器１２の開口部１２ａの周縁部に固着される。
【００２４】
前記上蓋６は、既述のとおり、天板２とスカート壁３とからなり、このスカート壁３内周面の雌ネジ３ａと、後に詳述する注出口栓１３の注出筒７外周面の雄ネジ７ａとが相俟って、上蓋６が注出口栓１３に対して螺着脱可能となるのである。上蓋６が注出口栓１３に螺着した状態では、シール筒４の外周面が注出口栓１３の注出筒７の内周面に液密に周接し、開栓後の容器１２の内容液が外部に漏れないようになっている。そして、上蓋６のスカート壁３外周面にはすべり止め２１が設けられ、上蓋６が注出口栓１３に対し螺着脱する際容易となるようにしている。
【００２５】
前記注出口栓１３は、既述のとおり、注出筒７内の閉鎖中板８に、周方向スコア９にて囲った開口予定部１０を有し、この開口予定部１０内に切除筒１１を立設してあって、この切除筒１１は、周方向スコア９が破断されて開口予定部１０が注出口栓１３から除去された後、この除去後の開口予定部１０が上蓋６と一体となるために必要となるものである。一体となるために、上蓋６の内筒５と注出口栓１３の切除筒１１との間に、上下方向に係止可能な係止手段１４が介在して設けられている。すなわち、この係止手段１４は、上蓋６の内筒５の内周面に設けた係止突起５ａと、これに係止する、注出口栓１３の切除筒１１の上部外周面に設けた係止突起１１ａとでなる。
【００２６】
したがって、上蓋６が開栓方向の旋回により上昇するに伴い、上蓋６の内筒５の係止突起５ａに係止状態にある係止突起１１ａによって切除筒１１も上昇し、これに連れて切除筒１１が立設している開口予定部１０も上蓋６と共に上昇する。
【００２７】
そして、前記上蓋６を開栓方向に回した際のみ係合して周方向スコア９を破断し、上蓋６を閉栓方向に回した際係合しないで注出口栓に上蓋を螺着出来るようにするため、上蓋６の内筒５と注出口栓１３の切除筒１１との間に、周方向スコア９を破断する係合手段１５が介在して設けられている。すなわち、この係合手段１５は、上蓋６の下部内周面に段差部を介して薄肉部が形成され、この段差部と薄肉部内周面に連結された複数個のラチェット片５ｂと、閉鎖中板８の開口予定部１０上面に連結されたラチェット爪１１ｂと、からなり、ラチェット片５ｂとラチェット爪１１ｂとは、周方向に間隔をおいて配設されている。
【００２８】
したがって、上蓋６を閉栓方向に旋回せしめると、上蓋６における内筒５の内周面に周方向に間隔をおいて配設された複数個のラチェット片５ｂは、注出口栓１３における切除筒１１の外周面に周方向に間隔をおいて配設された複数個のラチェット爪１１ｂに係合することなく乗り越え、注出口栓１３に上蓋６を螺着出来る。一方、上蓋６を開栓方向に旋回させると、上蓋６の複数個のラチェット片５ｂと、注出口栓１３の複数個のラチェット爪１１ｂとが係合し、周方向スコア９を破断して、さらに、前記係止手段１４により、注出口栓１３から切除筒１１を、上蓋６の内筒５に係止したまま除去し、注出口栓１３を開栓する。
【００２９】
しかしながら、注出口栓１３における開口予定部１０を除去するための周方向スコア９の径が大きいと、周方向スコア９を破断するトルクも大きくなるため、上蓋６を開栓方向に旋回させるのに大きな力を必要とする。本発明においては、これを緩和するため、前記係合手段１５の切除筒１１側の係合部位に隣接した閉鎖中板８に、周方向スコア９から切除筒１１に向かって延びる放射状スコア１６を、所定の間隔をおいて複数個設けている。
なお、この実施例では放射状スコア１６を角度６０度ごとに６個設けている。
【００３０】
上記放射状スコア１６があることにより、上蓋６を開栓方向に旋回させて、上蓋６のラチェット片５ｂと、注出口栓１３のラチェット爪１１ｂとでなる係合手段１５を係合させ、周方向のせん断力が、係合手段１５の切除筒１１側の係合部位に隣接した放射状スコア１６に集中してこれを破断し、さらに、この放射状スコア１６の破断により周方向スコア９の破断トルクを下げて周方向スコア９を破断し、注出口栓１３から切除筒１１を上蓋６の内筒５に係止したままの状態で除去して、開栓することになる。そして、この放射状スコア１６は、周方向に０．１ないし０．５ｍｍ幅をもっているのが良く、これにより周方向のせん断力が放射状スコア１６と放射状スコア１６に隣接した周方向スコア９に伝達されて、この部分から周方向スコア９の破断を促進させることが出来る。
【００３１】
なお、上記放射状スコア１６の効果を検証したので、その状況を説明する。
試験例１は、図２に示す放射状スコアがある状態で、上蓋を開栓方向に旋回し、その旋回角度ごとのトルクを測定する。
試験例２は、図２に示す放射状スコアが無い状態で、上蓋を開栓方向に旋回し、その旋回角度ごとのトルクを測定する。それらの結果を図６に示す。
【００３２】
図６によれば、放射状スコアがある状態の試験例１（A）は、上蓋を開栓方向に２４度旋回した時点で、最高のトルク、すなわち、破断トルクを示し、そのトルクは８６Ｎｃｍであった。これに対して、放射状スコアが無い状態の試験例２（B）は、上蓋を開栓方向に３０度旋回した時点で、破断トルクを示し、そのトルクは１０４Ｎｃｍであった。したがって、放射状スコアがある状態の試験例１は、スコアのない試験例２よりも約２割の改善が見られた。
【００３３】
次に、上記構成になる複合容器蓋１の利用状況について説明する。
別々に製造された上蓋６及び注出口栓１３は、まず、注出口栓１３に上蓋６をあてがい上蓋６を閉栓方向に旋回させると、上蓋６の複数個のラチェット片５ｂは、注出口栓１３に配設された複数個のラチェット爪１１ｂに係合することなく乗り越え、注出口栓１３に上蓋６を螺着する。次いで、容器１２の開口部１２ａの周縁部に、注出口栓１３の鍔状取付部２０を固着することで、容器１２に複合容器蓋を取り付ける。
【００３４】
容器１２の内容液を利用したい場合は、上蓋６を開栓方向に旋回させ、上蓋６の複数個のラチェット片５ｂと、注出口栓１３の複数個のラチェット爪１１ｂとを係合させ、上蓋６による開栓方向の旋回力に起因して、周方向のせん断力が、切除筒１１側の係合部位に隣接した放射状スコア１６に集中して破断し、さらに、これらの放射状スコア１６の破断により周方向スコア９の破断トルクを下げることになって、その結果、周方向スコア９を容易に破断し、注出口栓１３から切除筒１１、すなわち、開口予定部１０を上蓋６の内筒５に係止したまま除去して、注出口栓１３を開栓する。そして、容器１２の内容液を利用し、内容液が残れば、注出口栓１３に上蓋６を螺着して容器１２を密封し、再利用に備えることができる。
【実施例２】
【００３５】
図７、８は、本発明の他の実施形態を示す複合容器蓋１Ａであり、この複合容器蓋１Ａと図１ないし６の複合容器蓋１との相違点は、主にプラスチックやガラス製のボトルタイプの容器１２Ａに利用され、上蓋６Ａには内周面に雌ネジ３１ａが螺刻された中間筒３１があり、注出口栓１３Ａには、頂板部３２の外周縁から垂下した外筒３３があり、頂板部３２の下面には、外筒３３と相俟って容器１２Ａの口部１２ｂを装着出来る装着筒３４があって、さらに、頂板部３２の上面には、上蓋６の雌ネジ３１ａに螺合する雄ネジ３５ａを外周面に螺刻した螺合筒３５があり、そして、係合手段１５の切除筒１１側の係合部位に隣接した頂板部３２に周方向スコア９から切除筒１１に向かって延びる放射状スコア１６を設けた点にある。その他の構成、作用は、図１乃至６の複合容器蓋１と同様なので、図面に符号を付してその詳細な説明を省略する。
【００３６】
以上、本発明の実施例１、２を説明したが、具体的な構成はこれらに限定されず、本発明の要旨を逸脱しない範囲での変更は、適宜可能であることが理解されるべきである。
【産業上の利用可能性】
【００３７】
本発明の複合容器蓋は、液密性及び注出性に優れているのは勿論のこと、力の比較的弱い婦女子でも容易に開栓したい場合に、その利用可能性が極めて高くなる。
【符号の説明】
【００３８】
１、１Ａ                  複合容器蓋
２                        天板
３                        スカート壁
３ａ、３１ａ、５２        雌ネジ
４                        シール筒
５                        内筒
５ａ、１１ａ、６３、６４  係止突起
５ｂ                      ラチェット片
６、６Ａ、５４            上蓋
７                        注出筒
７ａ、３５ａ              雄ネジ
８                        閉鎖中板
９                        周方向スコア
１０、５９                開口予定部
１１                      切除筒
１１ｂ                    ラチェット爪
１２、１２Ａ              容器
１２ａ                    開口部
１３、１３Ａ              注出口栓
１４                      係止手段
１５                      係合手段
１６                      放射状スコア
２０                      鍔状取付部
２１                      すべり止め
３１                      中間筒
３２、５０                頂板部
３３                      外筒
３４                      装着筒
３５                      螺合筒
５１                      スカート部
５３                      インナーリング
５５                      天面
５６                      周状壁
５７                      注出用ノズル
５８                      弱化線
６０                      中栓
６１、６２                環状壁
６５、６６                ラチェット
【図１】
0005991838.tif 000002
【図２】
0005991838.tif 000003
【図３】
0005991838.tif 000004
【図４】
0005991838.tif 000005
【図５】
0005991838.tif 000006
【図６】
0005991838.tif 000007
【図７】
0005991838.tif 000008
【図８】
0005991838.tif 000009
【図９】
0005991838.tif 000010
【図１０】
0005991838.tif 000011